(57)【要約】【課題】従来のリアプロジェクション装置では、配線を必要とする装置が、スクリーンフレームに取り付けられていたため、配線の余長処理が不可欠となると共に、組立て作業が煩雑であった。【解決手段】開口部２ａを有し、反射ミラー３が取り付けられたキャビネット２と、スクリーン４を保持してキャビネット２に取り付けられるスクリーンフレーム５と、光学ブロック２３、光源ブロック２４及びシャーシブロック２５を具えたプロジェクション本体６と、反射ミラー３とプロジェクション本体６との間を仕切るセパレータ７と、を備え、セパレータ７は、第１面部７ａと、プロジェクション本体６の前面を覆う第２面部７ｂと、を有し、第２面部７ｂには、配線を必要とする装置５６，５８を固定する取付部５７，６０を設け、当該第２面部７ｂの前方で当該配線を必要とする装置５６，５８の配線７２とプロジェクション本体６の配線７２を接続可能とした。【選択図】図２
2008145961.tif 000002
【特許請求の範囲】
【請求項１】
前面に開口された開口部を有し、反射ミラーが内部に取り付けられたキャビネットと、
前記反射ミラーによって反射された映像光が投影されるスクリーンを保持すると共に前記開口部を覆うように前記キャビネットに取り付けられるスクリーンフレームと、
前記キャビネットの内部に収納されると共に、映像光を投射する光学ブロック、当該光学ブロックに光を供給する光源を有する光源ブロック及び当該光学ブロックと当該光源ブロックを駆動制御する制御装置を有するシャーシブロックを具えたプロジェクション本体と、
前記キャビネットと別部材で形成され、且つ、前記反射ミラーと前記プロジェクション本体との間を仕切るように当該キャビネットに取り付けられるセパレータと、
を備え、
前記セパレータは、
前記プロジェクション本体の上面を覆う第１面部と、
前記第１面部と連続すると共に前記プロジェクション本体の前面を覆う第２面部と、を有し、
前記第２面部には、配線を必要とする装置を固定する取付部を設け、当該第２面部の前方で当該配線を必要とする装置の配線と前記プロジェクション本体の配線を電気的に接続可能としたことを特徴とするリアプロジェクション装置。
【請求項２】
前記配線を必要とする装置は、スピーカ装置であり、
前記取付部は、前記スピーカ装置が取り付けられるスピーカ設置穴であることを特徴とする請求項１記載のリアプロジェクション装置。
【請求項３】
前記セパレータの周縁部の全体又は一部に、前記スピーカ装置から発生する振動を減衰させる防振部材を設けたことを特徴とする請求項２記載のリアプロジェクション装置。
【請求項４】
前記配線を必要とする装置は、リモコン受光部が設けられた配線基板であり、
前記取付部は、前記配線基板が取り付けられる基板取付部であることを特徴とする請求項１記載のリアプロジェクション装置。
【請求項５】
前記第２面部に、前記接続された配線を束ねる配線止めを設けたことを特徴とする請求項１記載のリアプロジェクション装置。
【発明の詳細な説明】
【技術分野】
【０００１】
本発明は、プロジェクション本体から出射した映像光を反射ミラーにより反射させてスクリーンの背面側に投射し、そのスクリーンに映像を表示させるリアプロジェクション装置に関するものである。
【背景技術】
【０００２】
従来の、この種のリアプロジェクション装置としては、例えば、特許文献１に記載されているようなものがある。特許文献１には、内部に液晶表示部を含む映像機器、投射レンズを含む光学ユニット、光源及びミラー等が装備され、上部の前面側にスクリーンが取り付けられたリアプロジェクションテレビに関するものが記載されている。この特許文献１に記載されたリアプロジェクションテレビは、「少なくともスクリーンとミラーとを装備した上部キャビネットと、少なくとも映像機器、駆動及び制御回路、投射レンズを含む光学ユニット及び光源からなる主要構成部分が装備された下部キャビネットとからなり、前記上部キャビネットの少なくとも一方の側面に開閉できる蓋部材によって施蓋されている開口部を設けた」ことを特徴としている。
【０００３】
このような構成を有するリアプロジェクションテレビによれば、「上部キャビネットの内部が長期使用によって汚れた時に、上部キャビネットを下部キャビネットから取り外すことなく、前記蓋部材を取り外すだけで、前記開口部から所定の清掃具を用いて内部を清掃することができるばかりでなく、光学系の部品の微調整も簡単にできる」（明細書の段落［００６２］）等の効果が期待される。
【特許文献１】特開平１０−９７０００号公報
【０００４】
しかしながら、特許文献１に記載されているリアプロジェクションテレビは、スクリーンフレームを有する上部キャビネットと、この上部キャビネットを支持すると共に主要構成部分であるプロジェクション本体が着脱可能に収納される下部キャビネットと、を備えて構成されている。上部キャビネットのスクリーンフレームには映像光が投影されるスクリーンが取り付けられている。このスクリーンに映像光を投影する反射ミラーが上部キャビネットに取り付けられており、その反射ミラーによってプロジェクション本体から出射された映像光が反射されてスクリーンに投影されている。下部キャビネットには、プロジェクション本体と振動の発生源であるスピーカ装置が収納されている。その結果、スピーカ装置から発生する振動がプロジェクション本体に直接伝播することにより、プロジェクション本体から出射される映像光に揺れが生じる。これにより、スクリーンに投影される映像に揺れが発生するという問題があった。
【０００５】
また、図９Ａ及び図９Ｂは、リアプロジェクション装置の他の従来例を示すもので、スピーカ装置をスクリーンフレームに設けたリアプロジェクションテレビ１００である。図９Ａはリアプロジェクションテレビ１００を正面側から見た斜視図、図９Ｂは正面側から見た分解斜視図である。
【０００６】
このリアプロジェクションテレビ１００は、前面に開口部１０６を有する筐体からなる上部キャビネット１０１と、この上部キャビネット１０１を下方から支持する下部キャビネット１０２と、前面開口部１０６を囲うようにして上部キャビネット１０１に着脱可能に取り付けられるスクリーンフレーム１０４とを備えて構成されている。
【０００７】
上部キャビネット１０１の前面開口部１０６には、スクリーン１０５が配置され、そのスクリーン１０５がスクリーンフレーム１０４によって保持されている。このスクリーン１０５に対向するように反射ミラー１０３が、上部キャビネット１０１の背面側の上部に所定の傾斜角度で取り付けられている。
【０００８】
下部キャビネット１０２には、プロジェクション本体１０８が収納されている。プロジェクション本体１０８は、反射ミラー１０３に映像光を投射する光学ブロック１１１と、この光学ブロック１１１に光を供給する光源ブロックと、これら光学ブロック１１１及び光源ブロックに制御信号を出力して映像や光の投射等を駆動制御する制御装置を有するシャーシブロックを備えて構成されている。光学ブロック１１１は、下部キャビネット１０２の左右方向の略中央部に配置されており、映像光を出射する投射レンズ１１５がその光軸を斜め上方に向けて上方へ突出するように設けられている。この投射レンズ１１５が、上部キャビネット１０１に設けた投射開口部１１６を貫通して上部キャビネット１０１内に挿入されている。更に、光学ブロック１１１には、３色（Ｒ：赤、Ｇ：緑、Ｂ：青）の液晶パネル等に冷却風を供給して冷却する冷却機構が設けられている。
【０００９】
光源ブロックは、光学ブロック１１１の一側に配置されており、その略中央には投射レンズ１１５等に光を供給する図示しない発光ランプが設けられている。更に、光源ブロックには、発光ランプに冷却風を供給して冷却する冷却機構が設けられている。
【００１０】
スクリーンフレーム１０４は長方形をなす横長の枠状部材からなっている。このスクリーンフレーム１０４は、反射ミラー１０３によって反射された映像光を投影させるスクリーン１０５を保持している。更に、このスクリーンフレーム１０４の長辺側の一辺である下辺部１０４ａには、その長辺に沿って連続するスピーカ用凹部１１８及び基板取付部１１９が設けられている。スピーカ用凹部１１８には、スピーカ装置１１２が取り付けられ、基板取付部１１９には、リモコン受光部が設けられた配線基板１１３が取り付けられている。スピーカ装置１１２、配線基板１１３等の配線を必要とする装置の配線１１０は、スクリーンフレーム１０４を上部キャビネット１０１に取り付ける直前にプロジェクション本体１０８の配線１１０と電気的に接続される。
【００１１】
しかしながら、このような構成を有するリアプロジェクションテレビ１００は、プロジェクション本体１０８の配線１１０と接続させるために、スピーカ装置１１２等の配線１１０をスクリーンフレーム１０４の背面からプロジェクション本体１０８の前方まで引き出していた。そのため、必要以上に長い配線１１０が必要であるため、配線１１０の余長処理が不可欠であると共に、その配線１１０が見えにくい状態でスクリーンフレーム１０４を上部キャビネットに取り付ける作業を行っていたため、組立て作業が煩雑であるという問題があった。更に、配線１１０の固定が完全に行えないばかりでなく、最終状態の目視確認ができなかった。そのため、スクリーンフレーム１０４と上部キャビネット１０１との嵌合部で配線１１０の挟み込みが発生するおそれがあると共に、スピーカ装置１１２から発生する振動により配線１１０が周囲の部材に当たると異音が発生するという問題もあった。
【発明の開示】
【発明が解決しようとする課題】
【００１２】
解決しようとする問題点は、従来のリアプロジェクション装置では、光学ユニットを含むプロジェクション本体と振動を発生するスピーカ装置が下部キャビネットに取り付けられていたため、スピーカ装置から発生する振動がプロジェクション本体に伝播することにより映像の揺れが起こる、という点である。
【００１３】
また、スピーカ装置や配線基板等の配線を必要とする装置が、スクリーンフレームに取り付けられると、プロジェクション本体の前方から引き出された配線と接続するために、スピーカ装置等の配線をスクリーンフレームの背面からプロジェクション本体の前方まで引き出していた。そのため、必要以上に長い配線が必要になるため、配線の余長処理が不可欠となると共に、その配線が見えにくい状態でスクリーンフレームをキャビネットに取り付ける作業を行わなければならず、組立て作業が煩雑である、という点である。更に、配線の固定が完全に行えないだけでなく、最終状態の目視確認ができなかった。そのため、スクリーンフレームとキャビネットとの嵌合部で配線の挟み込みが発生するおそれがあると共に、スピーカ装置から発生する振動により配線が周囲の部材に当たると異音が発生する、という点である。
【課題を解決するための手段】
【００１４】
本発明のリアプロジェクション装置は、前面に開口された開口部を有し、反射ミラーが内部に取り付けられたキャビネットと、反射ミラーによって反射された映像光が投影されるスクリーンを保持すると共に開口部を覆うようにキャビネットに取り付けられるスクリーンフレームと、キャビネットの内部に収納されると共に、映像光を投射する光学ブロック、当該光学ブロックに光を供給する光源を有する光源ブロック及び当該光学ブロックと当該光源ブロックを駆動制御する制御装置を有するシャーシブロックを具えたプロジェクション本体と、キャビネットと別部材で形成され、且つ、反射ミラーとプロジェクション本体との間を仕切るように当該キャビネットに取り付けられるセパレータと、を備えている。セパレータは、プロジェクション本体の上面を覆う第１面部と、第１面部と連続すると共にプロジェクション本体の前面を覆う第２面部と、を有している。そして、第２面部には、配線を必要とする装置を固定する取付部を設け、当該第２面部の前方で当該配線を必要とする装置の配線とプロジェクション本体の配線を電気的に接続可能としたことを最も主要な特徴とする。
【発明の効果】
【００１５】
本発明のリアプロジェクション装置によれば、スピーカ装置等の配線を必要とする装置の配線の接続処理をセパレータの前方で行えると共に、全て目視で行えるため、配線に無駄な余裕を設ける必要がなく、接続処理後の確認も容易に行うことができる。
【発明を実施するための最良の形態】
【００１６】
キャビネットの内部を仕切るセパレータにスピーカ装置等の配線を必要とする装置を取り付ける。これにより、配線の接続処理が全て目視で行えると共に、配線に無駄な余裕を設ける必要がなく、接続処理後の確認も容易に行うことができるリアプロジェクション装置を、簡単な構成によって実現した。
【００１７】
以下、本発明の実施の形態を、添付図面を参照して説明する。図１〜図８は、本発明の実施の形態の例を示すものである。即ち、図１は本発明のリアプロジェクション装置の第１の実施の例を示す正面側から見た斜視図、図２はスクリーンフレームを外したときの分解斜視図、図３はキャビネットにプロジェクション本体を搭載した状態を示す説明図、図４はキャビネットを示す斜視図、図５は光学ブロック及び光源の構成を示す模式図、図６はセパレータを示す斜視図である。
【００１８】
図７Ａ及び図７Ｂはリアプロジェクション装置のインチサイズの違いによるスピーカ装置と配線基板の取り付け位置を示すもので、図７Ａは第１のインチサイズに係るスピーカ装置及び配線基板の取り付け位置を示す斜視図、図７Ｂは第２のインチサイズに係るスピーカ装置及び配線基板の取り付け位置を示す斜視図、図８Ａ及び図８Ｂは異なるインチサイズに対応したセパレータを断面して示すもので、図８Ａは第１のインチサイズに対応したセパレータの断面図、図８Ｂは第２のインチサイズに対応したセパレータの断面図である。
【００１９】
まず、本発明のリアプロジェクション装置の第１の実施の例を示すリアプロジェクションテレビ１について図１〜図６を参照して説明する。リアプロジェクションテレビ１は、いわゆるテレビジョン受像機である。このリアプロジェクションテレビ１は、ＣＲＴやＬＣＤ素子等の画像表示デバイスを有する光学ブロックから映像光を出射し、その映像光を反射ミラーで反射してスクリーンに拡大投射することで映像（画像）を表示するものである。
【００２０】
このリアプロジェクションテレビ１は、図１〜６に示すように、前面の全体が開口された開口部２ａを有するキャビネット２と、このキャビネット２に取り付けられる反射ミラー３と、反射ミラー３によって反射された映像光が投影されるスクリーン４と、このスクリーン４を保持すると共にキャビネット２の開口部を覆うスクリーンフレーム５と、キャビネット２の内部に搭載されるプロジェクション本体６と、このプロジェクション本体６と反射ミラー３とを仕切るセパレータ７等を備えて構成されている。
【００２１】
図４等に示すように、キャビネット２は、前面に開口部２ａを有する中空の筐体からなっている。このキャビネット２は、プロジェクション本体６が搭載される略長方形をなす載置面部２ｂと、この載置面部２ｂの長辺の開口部２ａと反対側の一端から略垂直をなすように連続されると共に略長方形をなすように形成された背面部２ｃと、この背面部２ｃに所定の傾斜角度をなして連続されると共に反射ミラー３が取り付けられる上面部２ｄと、載置面部２ｂの左側の短辺と略垂直をなして連続する左側面部２ｅと、載置面部２ｂの右側の短辺と略垂直をなして連続する右側面部２ｆとから構成されている。
【００２２】
上面部２ｄの内面には、複数のミラー係合片１１が設けられている。このミラー係合片１１に反射ミラー３の下辺部が係合される。背面部２ｃの左右方向の一側には、後述する光源ブロック２４を冷却するために外気等を通過させる格子状の冷却窓１６が設けられている。更に、背面部２ｃの左右方向の他側には、後述するシャーシブロック２５の外部コネクタ部を露出させるコネクタ開口部１４が設けられている。
【００２３】
左側面部２ｅ及び右側面部２ｆには、キャビネット２の内部に取り付けられた反射ミラー３等を掃除する際に、所定の掃除具を挿入することができる掃除穴１２ａが設けられている。この掃除穴１２ａには、蓋１２ｂがビス止め等によって取り付けられている。これにより、掃除穴１２ａが蓋１２ｂによって密閉されている。更に、左側面部２ｅ及び右側面部２ｆには、セパレータ７の位置決めと、組立て時にセパレータ７の嵌め込みをガイドするガイド段部１７が設けられている。このガイド段部１７の載置面部２ｂからの高さは、キャビネット２の開口部２ａ側よりも背面部２ｃ側が高くなるように設定されている。載置面部２ｂの開口部２ａ側の左右方向に所定の間隔を開けて第１の係合穴部１８と第２の係合穴部１９が設けられている。
【００２４】
反射ミラー３は、下辺の長さが上辺よりも短い略台形の板状に形成されている。この反射ミラー３の大きさは、キャビネット２の上面部２ｄの大部分を覆い隠す大きさに設定されている。この反射ミラー３は、下辺部を上面部２ｄのミラー係合片１１に係合させた状態で、ミラーホルダ１５によってキャビネット２に取り付けられている。
【００２５】
ミラーホルダ１５は、反射ミラー３の左辺部を保持する左側ミラーホルダ１５ａと、右辺部を保持する右側ミラーホルダ１５ｂと、上辺部を保持する上側ミラーホルダ１５ｃから構成されている。これらの３つのミラーホルダ１５ａ，１５ｂ，１５ｃは、それぞれ上面部２ｄにビス止めされている。
【００２６】
スクリーンフレーム５は、図１及び図２に示すように、長方形をなす横長の枠状部材からなっている。このスクリーンフレーム５は、長方形状のベース枠５ａと、このベース枠５ａの前面側に取り付けられる化粧枠５ｂと、スクリーン４をベース枠５ａに固定する図に表れないスクリーン枠等を備えて構成されている。
【００２７】
ベース枠５ａは、キャビネット２の開口部に対応した大きさに設定されている。化粧枠５ｂは、ベース枠５ａの前面から露出されるスクリーン４の外周を囲うように配置されている。この化粧枠５ｂは、ベース枠５ａにビス止め等の固定手段により固定されている。更に化粧枠５ｂの長辺側の一辺である下辺部には、微細な穴からなる図示しないスピーカホールと、動作表示を行うガイドライトが挿嵌される図示しないガイドライト孔が設けられている。
【００２８】
スクリーン４は、反射ミラー３側に配置されるフレネルレンズと、このフレネルレンズの反射ミラー３と反対側に配されるレンキュラーレンズとの組合せにより構成されている。このスクリーン４をベース枠５ａと図示しないスクリーン枠の間に介在させ、スクリーン枠をベース枠５ａにビス止めにより固定されている。
【００２９】
図３に示すように、プロジェクション本体６は、キャビネット２の載置面２ａの左右方向の略中央部に搭載される光学ブロック２３と、キャビネット２の開口部２ａから見て左右方向の一側に搭載される光源ブロック２４と、キャビネット２の開口部２ａから見て左右方向の他側に搭載されるシャーシブロック２５とから構成されている。
【００３０】
光学ブロック２３は、図３及び図５に示すようにフライアイレンズ群３１と、ＰＳコンバータ３２と、２つの色分解ミラー３３，３４と、３つの反射ミラー３５，３６，３７と、３枚のコンデンサレンズ３８Ｒ，３８Ｇ，３８Ｂと、入射側偏光板３９と、液晶デバイスである３つの液晶パネル４０Ｒ，４０Ｇ，４０Ｂ及び出射側偏光板４１からなる３組のライトバルブ４２と、色合成用のクロスプリズム４３と、レンズ群４４と、反射ミラー４５と、投射レンズ４６と、３組のライトバルブ４２等を冷却する図に表れないシロッコファン等を備えている。
【００３１】
ＰＳコンバータ３２は、誘電体がコーティングされた短冊状のガラスを接着剤で貼り合わせることにより形成されている。液晶パネル４０Ｒ，４０Ｇ，４０Ｂの入射側には、それぞれ入射側の偏光板３９が薄いガラス板を介してコンデンサレンズ３８Ｒ，３８Ｇ，３８Ｂに接着されている。この液晶パネル４０Ｒ，４０Ｇ，４０Ｂの出射側には、それぞれ偏光板４１が薄いガラス板を介してクロスプリズム４３に装着されている。
【００３２】
光源ブロック２４は、光学ブロック２３に光を照射する光源２６と、この光源２６を冷却する冷却装置を有している。この光源２６としては、例えば、高輝度放電ランプを挙げることができる。
【００３３】
次に、図５を参照して、光源ブロック２４に設けた光源２６と光学ブロック２３による映像投影の作用について説明する。まず、光源ブロック２４に設けた光源２６から照射された光は、フライアイレンズ群３１によって均一化され、ＰＳコンバータ３２によって偏光方向が揃えられる。そして、偏光方向が揃えられた光は、反射ミラー３５，３６，３７と色分解ミラー３３，３４によって、Ｒ（赤）、Ｇ（緑）、Ｂ（青）の３色の光に分解される。
【００３４】
コンデンサレンズ３８Ｒ，３８Ｇ，３８Ｂ及び偏光板３９を通して液晶パネル４０Ｒ，４０Ｇ，４０Ｂに照射された３色の光は、画像信号によって変調され、偏光板４１を通して、その透過率が制御される。このようにして、液晶パネル４０Ｒ，４０Ｇ，４０Ｂ上に形成された画像は、クロスプリズム４３によって１つの映像光として合成される。この映像光は、レンズ群４４を透過し、反射ミラー４５によって反射された映像光が投射レンズ４６に出射される。そして、この映像光は、投射レンズ４６を介し、キャビネット２に取り付けた反射ミラー３により反射されてスクリーン４に投射される。
【００３５】
シャーシブロック２５は、光学ブロック２３及び光源ブロック２４を駆動制御する制御装置を有している。このシャーシブロック２５には、制御装置等を冷却する冷却ファン２７を設けている。更に、シャーシブロック２５の背面には、ＵＳＢコネクタ等が接続される外部コネクタ部を有している。
【００３６】
図６に示すように、セパレータ７は、略Ｌ字状に折れ曲がった板体として構成されている。このセパレータ７は、略長方形をなす第１面部７ａと、当該第１面部７ａの長辺の一端から所定の傾斜角度をなして連続する第２面部７ｂを有している。組立後、第１面部７ａは、プロジェクション本体６の上面を覆い、第２面部７ｂは、プロジェクション本体６の前面を覆う。プロジェクション本体６の上面及び前面を覆うことにより、セパレータ７は、プロジェクション本体６の防塵の役割と、セパレータ７によって仕切られるキャビネット２内部における反射ミラー３側の空間部とプロジェクション本体６側の空間部との空気の循環を作るためのシーリング作用としての役割を果たしている。更に、このセパレータ７自体が補強部材となり、リアプロジェクションテレビ１全体の強度を向上させている。
【００３７】
また、セパレータ７の外周の全体又は一部には、ゴム、クッション又は弾性を有するプラスチック等からなる防振部材７４が設けられている。この防振部材７４により、後述するスピーカ装置５６から発生する振動が吸収もしくは減衰され、キャビネット２に設けられた反射ミラー３や光学ブロック２３に振動が伝播することを効果的に防ぐことができる。更に、キャビネット２とセパレータ７との隙間を無くすことでき、セパレータ７によるプロジェクション本体６の防塵効果を向上させることもできる。
【００３８】
第１面部７ａの略中央には、投射開口部５１が設けられている。この投射開口部５１は、光学ブロック２３の投射レンズ４６又は当該投射レンズ４６から投射される映像光が貫通される。この第１面部７ａにおいて第２面部７ｂと連続する長辺と反対側に位置する長辺の一端部には、光学ブロック２３を冷却するための空気を吸い込む吸気口５２が設けられている。更に、第１面部７ａには、面強度を高めるために複数の段部５３が階段状に設けられている。
【００３９】
第２面部７ｂには、左右方向に所定の間隔を開けて２つのスピーカ設置穴５７が設けられている。このスピーカ設置穴５７には、スピーカ装置５６が嵌め込まれ、ネジ止め等の固定手段によって第２面部７ｂに固定されている。即ち、振動の発生源であるスピーカ装置５６がセパレータ７に取り付けられている。また、セパレータ７は、上記したようにキャビネット２と別部材で形成されている。その結果、スピーカ装置５６からの振動がキャビネット２に設けた反射ミラー３や光学ブロック２３に伝わりにくくなる。これにより、スピーカ装置５６から発生する振動によって起こる画像の揺れを効果的に抑制或いは防止することができる。
【００４０】
更に、第２面部７ｂの略中央の左側には、基板取付部６０が設けられている。この基板取付部６０には、本発明の配線を必要とする装置であるリモコン受光部が設けられている配線基板５８がネジ止め等の固定手段によって取り付けられている。尚、本実施の例では、第２面部７ｂにスピーカ装置５６、配線基板５８を取り付けた例を説明したが、これに限定されるものではなく、操作スイッチ等の配線を必要とする各種アクセサリ装置を取り付けてもよい。
【００４１】
スピーカ装置５６、配線基板５８のそれぞれの配線７２は、第２面部７ｂの前方でシャーシブロック２５から引き出された配線７２と電気的に接続されている。この接続された配線７２は、セパレータ７に設けた配線止め７３により束ねられて、セパレータ７に確実に固定されている。これにより、組立て時にスクリーンフレーム５とキャビネット２の嵌合部に配線７２が、挟み込まれるおそれがなくなる。更に、配線７２が配線止め７３によりセパレータ７側に固定されているため、スピーカ装置５６から発生する振動によって配線７２が周囲に当たることがない。その結果、配線７２が周囲に当たることによって発生する異音を確実に防止することができる。
【００４２】
尚、この実施の例では、スピーカ装置５６、配線基板５８の配線７２とシャーシブロック２５の配線７２を接続した例について説明したが、これに限定されるものではない。例えば、スピーカ装置５６、配線基板５８の配線７２と光学ブロック２３の配線と接続してもよく、または、スピーカ装置５６、配線基板５８の配線７２と光源ブロック２４の配線と接続してもよいことは勿論である。
【００４３】
第２面部７ｂの下端部には、セパレータ７の強度を高めるために、セパレータ補強部材５９が取り付けられている。このセパレータ補強部材５９は、左右方向に延在されて所定の長さに設定されている。更に、このセパレータ補強部材５９は、十分に大きな強度を発揮できる金属材料、例えば、鋼材等から形成されている。
【００４４】
更に、第２面部７ｂの下端部には、キャビネット２に設けた第１の係合穴部１８に対応する位置に、第１の係合フック部６１を設けている。同様に、第２面部７ｂの下端部におけるキャビネット２に設けた第２の係合穴部１９に対応する位置には、第２の係合フック部６２を設けている。この第１及び第２の係合フック部６１，６２は、一回折れ曲がった舌片状をなしており、このような形状をすることで各係合フック部６１，６２に適度な強さを有する弾性を付与している。舌片状の各係合フック部６１，６２の底面からは、下方に向けて突出した図に表れない突起をそれぞれ設けている。尚、この実施の例では、係合穴部１８，１９及び係合フック部６１，６２をそれぞれ２つ設けた例について説明したが、係合穴部１８，１９及び係合フック部６１，６２の数はこれに限定されるものではなく、１つであってもよく、また３つ以上設けてもよいことは勿論である。
【００４５】
このような構成を有するリアプロジェクションテレビ１は、例えば、次のようにして組み立てることができる。まず、キャビネット２の上面部２ｄに反射ミラー３を取り付ける。即ち、反射ミラー３の下辺部をキャビネット２の複数のミラー係合片１１に係合させる。そして、ミラーホルダ１５によって反射ミラー３の上辺部、左辺部及び右辺部をキャビネット２の上面部２ａにネジ止めする。
【００４６】
次に、キャビネット２の開口部２ａから載置面部２ｂに、プロジェクション本体６を挿入する。即ち、載置面部２ｂの中央に光学ブロック２３、キャビネット２の開口部２ａから見て一側に光源ブロック２４、同様に他側にシャーシブロック２５を搭載する。このとき、シャーシブロック２５に設けた冷却ファン２７が、キャビネット２の背面部２ｃに設けたファン開口部１３から露出される。同様に、シャーシブロック２５に設けた外部コネクタ部が、キャビネット２の背面部２ｃに設けたコネクタ開口部１４から露出される。そして、キャビネット２に搭載された３つのブロック２３，２４，２５間を図示しないコネクタにより電気的に接続させる。
【００４７】
次に、セパレータ７のスピーカ設置穴５７にスピーカ装置５６を嵌め込み、ビス止めにより固定する。更に、このセパレータ７の基板取付部６０に配線基板５８等の配線を必要とする装置を取り付ける。これにより、セパレータ７と、スピーカ装置５６等から構成されるセパレータ組立体６５が組み立てられる。ここで、振動の発生源であるスピーカ装置５６は、キャビネット２と別部材であるセパレータ７に取り付けられている。これにより、スピーカ装置５６からの振動が反射ミラー３や光学ブロック２３に伝わることを抑制或いは防止することができるため、画像の揺れを効果的に防止することができる。
【００４８】
次に、キャビネット２の左側面部２ｅ及び右側面部２ｆに設けたガイド段部１７に沿って、セパレータ組立体６５を嵌め込む。このとき、セパレータ７に設けた第１及び第２の係合フック部６１，６２の突起がキャビネット２の載置面部２ｂに当接し、２つの係合フック部６１，６２の折れ曲がり部が弾性変形する。この状態から、更にセパレータ７をキャビネット２内に挿入すると、第１の係合フック部６１の突起が第１の係合穴部１８に挿入され、同様に、第２の係合フック部６２の突起が第２の係合穴部１９に挿入される。その結果、第１の係合穴部１８と第１の係合フック部６１が係合され、同様に、第２の係合穴部１９と第２の係合フック部６２が係合される。これにより、キャビネット２の内部にセパレータ組立体６５が固定される。これと同時に、セパレータ７に設けた投射開口部５１から、光学ブロック２３の投射レンズ４６が貫通される。
【００４９】
尚、本実施例では、セパレータ７のキャビネット２への固定手段として係合フック部６１，６２及び係合穴部１８，１９を設けた例について説明したが、これに限定されるものでない。例えば、係合フック部６１，６２及び係合穴部１８，１９だけでなく、更にネジ止め等の固定手段を用いてもよいことは勿論である。
【００５０】
次に、セパレータ７に取り付けたスピーカ装置５６及び配線基板５８から延在する配線７２をシャーシブロック２５に電気的に接続させる。その結果、配線７２の接続処理が全て目視で行えることができると共に、配線７２に無駄な余裕を設ける必要がない。そして、このスピーカ装置５６及び配線基板５８の配線７２をセパレータ７に設けた配線止め７３によって束ねてセパレータ７側に固定する。これにより、配線７２を完全に固定することができるため、スピーカ装置５６の振動により配線７２が周囲に当たることによって発生する異音を防止することができる。
【００５１】
このセパレータ組立体６５がキャビネット２の内部に固定されることにより、反射ミラー３とプロジェクション本体６との間が仕切られる。これにより、プロジェクション本体６の防塵を行うことができると共に、セパレータ７によって仕切られるキャビネット２内部の反射ミラー３側空間部とプロジェクション本体６側空間部との空気の循環を作るためのシーリング作用を得ることができる。更に、セパレータ組立体６５が補強部材となるため、キャビネット２の強度が向上され、キャビネット２に撓み等の変形が生じることを防止することができる。
【００５２】
次に、スクリーン４をスクリーン枠とベース枠５ａの間に介在させ、スクリーン枠をベース枠５ａにビス止めすることにより、スクリーン４をベース枠５ａに固定する。このスクリーン４が固定されたベース枠５ａの前面に化粧枠５ｂをビス止めにより固定する。これにより、スクリーン４と、ベース枠５ａと、スクリーン枠と、化粧枠５ｂから構成されるスクリーン組立体６６が組立てられる。
【００５３】
このスクリーン組立体６６を、セパレータ組立体６５が固定されているキャビネット２の開口部２ａを覆うように、キャビネット２の前面にビス止めする。このとき、セパレータ７に取り付けられたスピーカ装置５６等の配線７２の接続状態を目視確認することができる。その結果、スピーカ装置５６及び配線基板５８等の配線７２がスクリーンフレーム５とキャビネット２との嵌合部で挟み込まれるおそれがない。これにより、リアプロジェクションテレビ１が組み立てられる。
【００５４】
ここで、リアプロジェクション装置の構成として、画像発生源である光学・電気系の基幹部品は共通化して、投射レンズ４６から投射される映像光の投射距離及び投射角度を変えることにより、異なるインチサイズに対応させることができる。即ち、セパレータ７を共通部品とし、キャビネット２、反射ミラー３、スクリーン４及びスクリーンフレーム５の一部寸法を変更することで異なるインチサイズにも対応させることが可能である。これにより、異なるインチサイズでもセパレータ７の共通化が可能となりコスト削減を図ることができる。
【００５５】
しかしながら、インチサイズの違いによりセパレータ７の第２面部とスクリーンフレーム５の背面までの距離が変化する。その結果、大きなインチサイズでは、セパレータ７に取り付けたスピーカ装置５６の音質や配線基板５８に設けたリモコン受光部の検出感度が低下する。
【００５６】
そのため、本発明に係るリアプロジェクション装置のセパレータ７は、インチサイズに応じてスピーカ装置５６等の取り付け位置の高さを変えるように設定している。例えば、図７Ａ及び図８Ａに示すように、第１のインチサイズに対応したセパレータ７Ａは、スピーカ設置穴５７Ａ及び基板取付部６０Ａを第２面部７ｂの一面に設けている。図７Ｂ及び図８Ｂに示すように、第１のインチサイズよりも大きい第２のインチサイズに対応したセパレータ７Ｂは、スピーカ設置穴５７Ｂ及び基板取付部６０Ｂを第２面部７ｂの一面から所定の長さ（高さ）をもって前方に突出させて設けている。
【００５７】
このような構成を有するセパレータ７は、金型による射出成形加工によって形成される。射出成形加工後、図８Ａ及び図８Ｂに示すように、２点鎖線で示すスピーカ装置５６が、スピーカ設置穴５７Ａ，５７Ｂに取り付けられる。金型は、オス型であるコアが設けられた第１の金型７４と、メス型であるキャビティが設けられた第２の金型７５とから構成されている。第２の金型７５は、インチサイズに応じて形状の異なる交換部７６を交換できるように構成されている。例えば、第１のインチサイズでは、交換部７６Ａが用いられ、第２のインチサイズでは、交換部７６Ｂが用いられている。この交換部７６Ａ，７６Ｂをインチサイズに応じて交換することにより、スピーカ設置穴５７及び基板取付部６０の第２面部７ｂからの高さを変更させている。
【００５８】
これにより、異なるインチサイズにおいても、スピーカ装置５６、配線基板５８からスクリーンフレーム５の背面までの距離を最適化することができる。更に、スピーカ設置穴５７及び基板取付部６０の第２面部７ｂからの高さを第２の金型７５の交換部７６Ａ，７６Ｂのみを交換することで変更させているため、金型の交換作業が簡易であると共に、金型費の削減を図ることができる。
【００５９】
以上説明してきたように、本発明のリアプロジェクト装置は、キャビネットと別部材で形成されたセパレータにより、キャビネットに設けた反射ミラーと光学ブロック等のプロジェクション本体を仕切っている。このセパレータにスピーカ装置、配線基板等の配線を必要とする装置を取り付ける構成とした。これにより、配線の接続処理を全て目視で行えるため、配線に無駄な余裕を設ける必要がなく、接続処理後の確認も容易に行うことができる。
【００６０】
更に、スクリーンフレームをキャビネットに固定するときに、配線の接続状態を目視確認することができると共に、セパレータに配線を束ねる配線止めを設けている。その結果、スピーカ装置及び配線基板等の配線がスクリーンフレームとキャビネットとの嵌合部で挟み込まれるおそれがない。また、配線がセパレータに完全に固定されているため、スピーカ装置の振動により配線が周囲に当たることがなく、配線が周囲に当たることによって発生する異音を防止することができる。
【００６１】
また、セパレータとキャビネットを別部材で形成しているため、セパレータに取り付けたスピーカ装置の振動がキャビネットに設けた反射ミラーや光学ブロックに伝播することを抑制もしくは防止することができる。その結果、スピーカ装置から発生する振動による映像の揺れを効果的に防止することができる。更に、セパレータの周縁部に、キャビネットの間に介在される防振部材を設けることにより、スピーカ装置から発生する振動を吸収し、或いは減衰して、キャビネットに伝播されることをより効果的に防止することができる。
【００６２】
スピーカ設置穴及び基板取付部のインチサイズ毎の高さの変更を、セパレータの形成時において、キャビティが設けられた第２の金型の交換部を交換することにより行われている。これにより、異なるインチサイズにおいても、スピーカ装置、配線基板からスクリーンフレームまでの距離を最適化することができる。更に、第２の金型の交換部のみを交換することでスピーカ設置穴等の高さの変更を行っているため、金型の交換作業を簡易化することができると共に、金型費の削減を図ることができる。また、異なるインチサイズにおいてもセパレータを共通部品とすることができ、コスト削減を図ることができる。
【００６３】
尚、本発明は前述しかつ図面に示した実施の形態に限定されるものではなく、その要旨を逸脱しない範囲内で種々の変形実施が可能である。例えば、前記実施の例においては、リアプロジェクション装置としてリアプロジェクションテレビを適用した例について説明したが、パーソナルコンピュータや遊技機のディスプレイ装置、その他のリアプロジェクション装置にも適用できるものである。
【図面の簡単な説明】
【００６４】
【図１】本発明のリアプロジェクション装置の第１の実施の例に係るリアプロジェクションテレビを正面側から見た斜視図である。
【図２】本発明のリアプロジェクション装置の第１の実施の例に係る構造部品の分解斜視図である。
【図３】本発明のリアプロジェクション装置の第１の実施の例に係るキャビネットにプロジェクション本体を搭載した状態を示す説明図である。
【図４】本発明のリアプロジェクション装置の第１の実施の例に係るキャビネットを示す斜視図である。
【図５】本発明のリアプロジェクション装置の第１の実施の例に係る光学ブロック及び光源の構成を示す模式図である。
【図６】本発明のリアプロジェクション装置の第１の実施の例に係るセパレータを示す斜視図である。
【図７】本発明のリアプロジェクション装置の異なるインチサイズにおけるセパレータのスピーカ装置及び配線基板の取り付け位置を示すもので、図７Ａは第１のインチサイズにおけるスピーカ装置及び配線基板の取り付け位置を示す斜視図、図７Ｂは第２のインチサイズにおけるスピーカ装置及び配線基板の取り付け位置を示す斜視図である。
【図８】本発明のリアプロジェクション装置の異なるインチサイズにおけるセパレータのスピーカ設置穴を断面して示すもので、図８Ａは第１のインチサイズのリアプロジェクション装置に対応したセパレータのスピーカ設置穴の断面図、図８Ｂは第２のインチサイズのリアプロジェクション装置に対応したセパレータのスピーカ設置穴の断面図である。
【図９】従来のリアプロジェクション装置に係るリアプロジェクションテレビを示すもので、図９Ａは正面側から見た斜視図、図９Ｂはスクリーンフレームを外して正面側から見た斜視図である。
【符号の説明】
【００６５】
１…リアプロジェクションテレビ（リアプロジェクション装置）、  ２…キャビネット、２ａ…開口部、  ３…反射ミラー、  ４…スクリーン、  ５…スクリーンフレーム、  ６…プロジェクション本体、  ７，７Ａ，７Ｂ…セパレータ、  ７ａ…第１面部、  ７ｂ…第２面部、  ２３…光学ブロック、  ２４…光源ブロック、  ２５…シャーシブロック、２６…光源、  ５６…スピーカ装置（配線を必要とする装置）、  ５７…スピーカ設置穴（取付部）、  ５８…配線基板（配線を必要とする装置）、  ６０…基板取付部（取付部）、７２…配線
【図１】
2008145961.tif 000003
【図２】
2008145961.tif 000004
【図３】
2008145961.tif 000005
【図４】
2008145961.tif 000006
【図５】
2008145961.tif 000007
【図６】
2008145961.tif 000008
【図７】
2008145961.tif 000009
【図８】
2008145961.tif 000010
【図９】
2008145961.tif 000011